(57)【要約】【課題】小型で高倍のズームレンズを得ること。【解決手段】物体側より順に、正の屈折力を有する第1レンズ群、負の屈折力を有する第2レンズ群、及び全体として正の屈折力を有する後続レンズ群を有し、第2レンズ群は負レンズと正レンズのみで構成され、第2レンズ群中の正レンズの屈折率、正レンズと負レンズのアッベ数比、負レンズ形状が適切な範囲であることを特徴とするズームレンズ。【選択図】図１
2012159728.tif 000002
【特許請求の範囲】
【請求項１】
物体側より順に正の屈折力を有する第１レンズ群、負の屈折力を有する第２レンズ群、及び全体として正の屈折力を有する後続レンズ群を有し、第２レンズ群は負レンズと正レンズのみで構成され、以下の条件式を満足することを特徴とするズームレンズ。
２．１２＜Ｎｐ＜２．５・・・・・・・・・（１）
２．４＜ｖｎ／ｖｐ＜５・・・・・・・・・（２）
１．０５＜ＳＦｎ＜３．０・・・・・・・・（３）
但し、Ｎｐ：第２レンズ群中の正レンズのｄ線における屈折率
ｖｎ：第２レンズ群中の負レンズのアッベ数
ｖｐ：第２レンズ群中の正レンズのアッベ数
ＳＦｎ：第２レンズ群中の負レンズの形状をあらわし、
ＳＦ＝（ｒ１＋ｒ２）／（ｒ１−ｒ２）とする。
【請求項２】
前記第２レンズ群中の前記負レンズが、以下の条件式を満たす事を特徴とする請求項１に記載の光学系。
０．６６＜ｆｎ／ｆ２＜１・・・・・・・・・（４）
ｆｎは前記負レンズの焦点距離、ｆ２は前記第２レンズ群の焦点距離とする。
【請求項３】
前記第２レンズ群中の前記正レンズが、以下の条件式を満たす事を特徴とする請求項１に記載の光学系。
５≦ｖｐ＜１６．８・・・・・・・・・（５）
【請求項４】
前記第２レンズ群中の前記負レンズが、以下の条件式を満たす事を特徴とする請求項１に記載の光学系。
１．９＜Ｎｎ＜２．５・・・・・・・・・（６）
Ｎｎは第２レンズ群中の負レンズのｄ線における屈折率とする。
【請求項５】
前記第２レンズ群中の前記正レンズと前記負レンズが、以下の条件式を満たすことを特徴とする請求項１に記載の光学系。
−０．００３＜φｐ／ｖｐ＋φｎ／ｖｎ＜０・・・・・・・・・（７）
φｐは第２レンズ群中の前記正レンズのパワー、φｎは前記第２レンズ群中の前記負レンズのパワーとする。
【請求項６】
前記第２レンズ群が以下の条件式を満たすことを特徴とする請求項１に記載の光学系。
−６＜√（ｆｗ・ｆｔ）／ｆ２＜−１．３・・・・・・・・・（８）
ｆｗは広角端での全系焦点距離、ｆｔは望遠端での全系焦点距離とする。
【請求項７】
物体側より順に正の屈折力を有する第１レンズ群、負の屈折力を有する第２レンズ群、正の屈折力を有する第３レンズ群、正の屈折力を有する第４レンズ群を有し、第１レンズ群は正レンズと負レンズで構成され、第３レンズ群は正レンズ、正レンズ、負レンズから構成され、第４レンズ群は１枚の正レンズから構成され、以下の条件式を満足することを特徴とする請求項１に記載の光学系。
０．２＜√（ｆｗ・ｆｔ）／ｆ１＜０．４・・・・・・・・・（９）
【発明の詳細な説明】
【技術分野】
【０００１】
本発明は、コンパクトデジタルカメラ等に好適な、光学系に関するものである。
【背景技術】
【０００２】
一般的に、小型高倍のレンズタイプとして正の屈折力を有する第１レンズ群、負の屈折力を有する第２レンズ群、及び全体として正の屈折力を有する後続レンズ群を含むレンズタイプが知られている。正の屈折力を有する第１レンズ群、負の屈折力を有する第２レンズ群を含む構成の中で、第２レンズ群を３枚で構成する技術は一般に知られているが、個々のレンズには加工状の問題から、最低限必要な厚みが制約されるために、更なる小型化は困難であった。
【０００３】
正の屈折力を有する第１レンズ群、負の屈折力を有する第２レンズ群、及び全体として正の屈折力を有する後続レンズ群を含む構成で、第２レンズ群２枚構成のものとして、特許文献１、２等が知られている。
【０００４】
特許文献１、２では、第２レンズ群を従来知られている負レンズ、負レンズ、正レンズの３枚構成から負レンズ、正レンズの２枚構成にする事で薄型化された光学系を得ている。
【先行技術文献】
【特許文献】
【０００５】
【特許文献１】特開２００７−１７１３７１号公報
【特許文献２】特開２００８−０５２１１０号公報
【発明の概要】
【発明が解決しようとする課題】
【０００６】
しかしながら、上述の特許文献１、２に開示された従来技術では、第２レンズ群中の負レンズの曲率半径が小さく、両凹形状であるために更なる薄型化が困難であった。
【０００７】
本発明はこれら問題点に鑑みてなされたものであり、更なる小型で高倍率の光学系を得ることを目的とする。
【課題を解決するための手段】
【０００８】
上記目的を達成するために、本発明は、下記条件を満足していることを特徴とする。
【０００９】
物体側より順に正の屈折力を有する第１レンズ群、負の屈折力を有する第２レンズ群、及び全体として正の屈折力を有する後続レンズ群を有し、第２レンズ群は負レンズと正レンズのみで構成され、以下の条件式を満足することを特徴とするズームレンズ。
【００１０】
２．１２＜Ｎｐ＜２．５・・・・・・・・・（１）
２．４＜ｖｎ／ｖｐ＜５・・・・・・・・・（２）
１．０５＜ＳＦｎ＜３．０・・・・・・・・（３）
但し、Ｎｐ：第２レンズ群中の正レンズの屈折率
ｖｎ：第２レンズ群中の負レンズのアッベ数
ｖｐ：第２レンズ群中の正レンズのアッベ数
ＳＦｎ：第２レンズ群中の負レンズの形状をあらわし、
ＳＦ＝（ｒ１＋ｒ２）／（ｒ１−ｒ２）とする。
【発明の効果】
【００１１】
本発明によれば、薄型で６倍程度以上の高倍率の光学系を得ることができる。
【図面の簡単な説明】
【００１２】
【図１】本発明の数値実施例１のレンズ断面図
【図２】本発明の数値実施例１の広角端状態での収差図
【図３】本発明の数値実施例１の望遠端状態での収差図
【図４】本発明の数値実施例２のレンズ断面図
【図５】本発明の数値実施例２の広角端状態での収差図
【図６】本発明の数値実施例２の望遠端状態での収差図
【図７】本発明の数値実施例３のレンズ断面図
【図８】本発明の数値実施例３の広角端状態での収差図
【図９】本発明の数値実施例３の望遠端状態での収差図
【発明を実施するための形態】
【００１３】
以下に、本発明の好ましい実施の形態を、添付の図面に基づいて詳細に説明する。
【００１４】
図１、図４、図７はそれぞれ本発明の数値実施例１、２、３のレンズ断面図である。図２、図３はそれぞれ本発明の数値実施例１の広角端と望遠端の収差図である。図５、図６はそれぞれ本発明の数値実施例２の広角端と望遠端の収差図である。図８、図９はそれぞれ本発明の数値実施例３の広角端と望遠端の収差図である。
【００１５】
各レンズ断面図において、Ｌ１は第１群、Ｌ２は第２群、Ｌ３は第３群、Ｌ４は第４群、Ｌ５は第５群、ＳＰは絞り、ＩＰは像面をあらわしている。
【００１６】
各収差図において、ｄ、ｇは各々ｄ線及びｇ線、ΔＭ、ΔＳはメリジオナル像面、サジタル像面を表している。倍率色収差はｇ線であらわしている。
【００１７】
実施例１、２、３は、物体側より順に正の屈折力を有する１群、負の屈折力を有する２群、及び全体として正の屈折力を有する後続レンズ群を有するズームレンズであり、第２レンズ群は負レンズと正レンズのみで構成され、以下の条件式を満足する。
【００１８】
２．１２＜Ｎｐ＜２．５・・・・・・・・・（１）
２．４＜ｖｎ／ｖｐ＜５・・・・・・・・・（２）
１．０５＜ＳＦｎ＜３．０・・・・・・・・（３）
但し、Ｎｐ：第２レンズ群中の正レンズの屈折率
ｖｎ：第２レンズ群中の負レンズのアッベ数
ｖｐ：第２レンズ群中の正レンズのアッベ数
ＳＦｎ：第２レンズ群中の負レンズの形状をあらわし、
ＳＦ＝（ｒ１＋ｒ２）／（ｒ１−ｒ２）とする。
【００１９】
条件式（１）は、第２レンズ群中の正レンズの屈折率の範囲を規定したものである。上限値を超える材料は、透過率等の光学特性的に、光学部材として用いることが困難である。
【００２０】
下限値を下回ると、正レンズの屈折率が小さくなり、曲率半径が小さくなって必要肉厚が増加して、薄型化を行うことが困難となる。
【００２１】
さらに望ましくは、以下の条件式（１ａ）を満たすと正レンズが薄型化できるので良い。
【００２２】
２．２＜Ｎｐ＜２．５・・・・・・・・・（１ａ）
条件式（２）は、第２レンズ群中の正レンズと負レンズのアッベ数の比を規定している。
【００２３】
上限値を超えると、第２レンズ群中の正レンズのアッベ数が小さくなって高分散になり、発生する倍率色収差が増大するために好ましくない。
【００２４】
下限値を超えると、負群中での１次の色消しを考慮したとき、パワー分担が適切で無くなる為に、正レンズと負レンズのパワーを小さくすることが困難となる。
【００２５】
更に望ましくは以下の条件式を満たすと、第２レンズ群中のパワー配分を適切に設定できるのでよい。
【００２６】
２．５＜ｖｎ／ｖｐ＜５・・・・・・・・（２ａ）
条件式（３）は、第２レンズ群中の負レンズの形状を規定している。下限値を超えると平凹もしくは両凹となる。両凹で薄型化するためにはパワーを小さくする必要があり、高倍率を維持することが難しくなるので好ましくない。平凹の場合はコバ厚が大きくなるために好ましくない。上限値を超えると負レンズの物体側と像側の曲率半径が近くなり、負レンズのパワーが小さくなり過ぎるために、高倍率を保つことが困難になる。
【００２７】
更に望ましくは以下の条件式を満たすと、２群中の負レンズを薄型化できるため良い。
【００２８】
１．０５＜ＳＦｎ＜２．０・・・・・・・・・（３ａ）
前記第２レンズ群中の前記負レンズが以下の条件式を満たす事が望ましい。
【００２９】
０．６６＜ｆｎ／ｆ２＜１・・・・・・・・・（４）
ｆｎは前記第２レンズ群中の前記負レンズの焦点距離、ｆ２は前記第２レンズ群の焦点距離とする。
【００３０】
条件式（４）は第２レンズ群の焦点距離と、第２レンズ群中の負レンズの焦点距離の比を規定している。下限値を超えると、負レンズのパワーが第２レンズ群のパワーに対して大きくなり、パワー分担が適切で無くなる為に、薄型化が困難となる。
【００３１】
上限値を超えると負レンズのパワーが第２レンズ群のパワーに対して小さくなり、高倍率にすることが困難となる。
【００３２】
更に望ましくは以下の条件式を満たすと、第２レンズ群中の負レンズを薄型化できるため良い。
【００３３】
０．６８＜ｆｎ／ｆ２＜０．９５・・・・・・・・・（４ａ）
前記正レンズが以下の条件式を満たす事が望ましい。
【００３４】
５≦ｖｐ＜１６．８・・・・・・・・・（５）
条件式（５）は第２レンズ群中の正レンズのアッベ数を規定している。下限値を超えると、広角域で倍率色収差補正が難しくなる。上限値を超えると、第２レンズ群中の正レンズと負レンズのアッベ数の比を大きくとることが困難になり、正レンズと負レンズのパワーを小さくすることが困難となる。
【００３５】
更に望ましくは以下の条件式を満たすと、第２レンズ群中の正レンズと負レンズのパワーを小さく出来るので良い。
【００３６】
５≦ｖｐ＜１６．０・・・・・・・・・（５ａ）
前記第２レンズ群中の前記負レンズが以下の条件式を満たす事が望ましい。
【００３７】
１．９＜Ｎｎ＜２．５・・・・・・・・・（６）
Ｎｎは第２レンズ群中の負レンズのｄ線での屈折率とする。
【００３８】
条件式（６）は第２レンズ群中の負レンズの屈折率の範囲を規定している。上限値を超えるとペッツバール和が正に大きくなり、光学系の性能を保つことが困難になるため、好ましくない。下限値を下回ると負レンズの屈折率が小さくなり、曲率半径が小さくなるので十分に薄型化を行うことが困難となる。
【００３９】
更に望ましくは以下の条件式を満たすと、負レンズの曲率半径が大きくなるので良い。
【００４０】
１．９５＜Ｎｎ＜２．３・・・・・・・・・（６ａ）
前記第２レンズ群中の前記正レンズと負レンズが以下の条件式を満たすことが望ましい。
【００４１】
−０．００３＜φｐ／ｖｐ＋φｎ／ｖｎ＜０・・・・・・・・・（７）
φｐは前記正レンズのパワー、φｎは前記負レンズのパワーとする。
【００４２】
条件式（７）は第２レンズ群中の１次の色収差量の範囲を規定している。上下限のどちらを超えても第２レンズ群中の色収差補正不足となり、好ましくない。
【００４３】
更に望ましくは以下の条件式を満たすと、良好に２群中の色収差を補正できる。
【００４４】
−０．００２５＜φｐ／ｖｐ＋φｎ／ｖｎ＜０・・・・・・・・・（７ａ）
前記第２群が以下の条件式を満たすことが望ましい。
【００４５】
−６＜√（ｆｗ・ｆｔ）／ｆ２＜−１．３・・・・・・・・・（８）
ｆｗは広角端での全系焦点距離、ｆｔは望遠端での全系焦点距離とする。
【００４６】
条件式（８）は第２レンズ群の焦点距離と全系の焦点距離の比を規定している。上限値を超えると２群の全系に対するパワーが大きくなり、２群のパワーが全系に対して大きくなり、小型化することが困難となるため好ましくない。
【００４７】
下限値を超えると、２群のパワーが全系に対して小さくなり、高倍率を維持することが困難となる為、好ましくない。
【００４８】
更に望ましくは以下の条件式を満たすと、小型化できるため良い。
【００４９】
−３＜√（ｆｗ・ｆｔ）／ｆ２＜−１．３・・・・・・・・・（８ａ）
前記第１レンズ群は、以下の条件式を満たすことが望ましい
０．２＜√（ｆｗ・ｆｔ）／ｆ１＜０．４・・・・・・・・・（９）
条件式（９）は第レンズ１群と、全系の広角端と望遠端の焦点距離の比の範囲を規定している。
【００５０】
上限値を超えると第１群のパワーが大きくなるので、一群中の正レンズのパワーが大きくなり、特に望遠端での軸上色収差が発生しやすくなるために好ましくない。下限値を超えると、第１群のパワーが小さくなり、高倍率化が困難となるので好ましくない。
【００５１】
更に望ましくは以下の条件式を満たすと、小型化できるため良い。
【００５２】
０．２＜√（ｆｗ・ｆｔ）／ｆ１＜０．３５・・・・・・・・・（９ａ）
【実施例１】
【００５３】
以下、図１を参照して、本発明の第１の実施例による、レンズ構成について説明する。
【００５４】
図１に示す実施例１は、物体側から順に、第１レンズ群Ｌ１、第２レンズ群Ｌ２、第３レンズ群Ｌ３、第４レンズ群Ｌ４、から構成されている。Ｌ１は物体側から順に正レンズ、負レンズから構成されている。Ｌ２は負レンズ、正レンズから構成され、Ｌ３は絞りと正レンズ、正メニスカスレンズと負メニスカスレンズの接合レンズから構成されている。Ｌ４は正レンズ一枚から構成されている。フォーカスは４群で行っている。
【００５５】
正群先行のズーム光学系であり、第２レンズ群で主に変倍を行い、第１レンズ群に正群を置くことで、高倍化を図っている。第２負レンズ群で主に変倍を行うために、薄型化しつつ高倍化すると第２負レンズ群のパワーが大きくなる。その為、第２負レンズ群中の負レンズは曲率半径が小さい両凹レンズになる傾向がある。
【００５６】
第２負レンズ群中の負レンズと正レンズのアッベ数の比を、従来と比べて大きくして正レンズと負レンズのパワーを抑制し、正レンズの屈折率を従来と比べて大きくして正レンズを薄型化し、負レンズの形状を負メニス形状にすることで小型化を達成している。第２レンズ群中の正レンズにはＮｐ＝２．２０９、ｖｐ＝１５．０の材料を用いている。
【実施例２】
【００５７】
以下、図４を参照して、本発明の第２の実施例による、レンズ構成について説明する。
【００５８】
図４に示す実施例２は、第１レンズ群Ｌ１、第２レンズ群Ｌ２、第３レンズ群Ｌ３、第４レンズ群Ｌ４、正群Ｌ５から構成されている。Ｌ１は物体側から順に正レンズ、負レンズから構成されている。Ｌ２は負レンズ、正レンズから構成され、Ｌ３は絞りと正レンズ、正メニスカスレンズと負メニスカスレンズの接合レンズから構成されている。Ｌ４は正レンズ一枚から構成されている。Ｌ５は正レンズ一枚から構成されている。フォーカスは４群で行っている。
【００５９】
本実施例は正負正正正の群構成を取っている。正の屈折力を有する後続レンズ群の数を増やした場合でも、従来例に対して第２レンズ群の薄型化を達成している。本実施例のように正群を追加して自由度を増やすことで、収差補正に有利になると考えられる。また、このように後続レンズ群が多群になった場合でも、本発明による薄型化の効果が期待できる。
【００６０】
第２レンズ群中の正レンズにはＮｐ＝２．３５０、ｖｐ＝１０．０の材料を用いている。第２レンズ群中の正レンズを実施例１と比べて高屈折率、高分散の材料を用いる事で、従来例に対して更なる小型化を図っている。
【実施例３】
【００６１】
以下、図７を参照して、本発明の第３の実施例による、レンズ構成について説明する。
【００６２】
図７に示す実施例３は、第１レンズ群Ｌ１、第２レンズ群Ｌ２、第３レンズ群Ｌ３、から構成されている。Ｌ１は物体側から順に正レンズ、負レンズから構成されている。Ｌ２は負レンズ、正レンズから構成され、Ｌ３は絞りと正レンズ、正メニスカスレンズと負メニスカスレンズの接合レンズ、正レンズから構成されている。
【００６３】
フォーカスは３群で行っている。本実施例は正負正の群構成を取っている。変倍比は本発明の他の実施例と比べて少し小さいが、３群構成でも従来と比較して薄型で、６倍程度以上の高倍率を維持したズームレンズとなっている。正の屈折力を有する後続レンズ群の数を少なくした場合でも、従来例に対して第２レンズ群の薄型化を達成している。第２レンズ群中の正レンズにはＮｐ＝２．４００、ｖｐ＝５．０の材料を用いている。
第２レンズ群中の正レンズを実施例１と比べて高屈折率、高分散の材料を用いる事で、従来例に対して更なる小型化を図っている。
【００６４】
以上、本発明の好ましい実施形態について説明したが、本発明はこれらの実施形態に限定されず、その要旨の範囲内で種々の変形及び変更が可能である。
【００６５】
次に本発明の数値実施例を示す。数値実施例において、ｒｉは物体側より順に第ｉ番目のレンズ面の曲率半径、ｄｉは第ｉ番目のレンズ厚または空気間隔、ｎｉとｖｉは第ｉ番目のレンズの材質のｄ線における屈折率とアッベ数である。
【００６６】
また、非球面形状はレンズ面の中心部の曲率半径をｒとし、光軸方向をＸ軸とし、光軸と垂直方向をＹ軸とし、非球面係数をＡｉ（ｉ＝１，２，３…）としたとき、
【００６７】
【数１】
2012159728.tif 000003
【００６８】
であらわされるものとする。
【００６９】
表１には本発明の上述した条件式と数値実施例の関係を示す。
【００７０】
［数値実施例  １］
単位 mm
面データ
面番号       r        d      nd         vd       有効径
1         61.794    2.50   1.83222    52.4       18.83
2        -44.955    0.50   1.67270    32.1       17.98
3*      -753.513  (可変)                         17.61
4*        56.983    0.75   1.96835    38.9       14.64
5*         6.041    2.25                         11.63
6*        11.156    1.66   2.20857    15.0        11.81
7*        15.767  (可変)                         11.58
8(絞り)    ∞      -0.60                          5.26
9*         5.759    1.74   1.58913    61.1        5.29
10*       -30.449    0.10                          4.99
11          5.071    0.99   1.49700    81.5        4.62
12          7.008    0.50   1.84666    23.8        4.15
13          3.644  (可変)                          3.75
14*        13.406    1.54   1.77250    49.6        8.91
15*        45.000  (可変)                          8.93
16          ∞       0.60   1.51633    64.1       20.00
17          ∞       0.90                         20.00
18          ∞       0.40   1.51633    64.1       20.00
19          ∞     (可変)                         20.00
像面        ∞   
非球面データ
第3面
K = 4.94868e+003  A 4= 3.01506e-006  A 6= 8.40937e-009  A 8= 8.71834e-011  A10=-1.40980e-013  
第4面
K = 0.00000e+000  A 4=-3.51828e-005  A 6=-1.23077e-006  A 8= 5.48772e-009  A10=-3.45223e-011  
第5面
K =-3.04080e-001  A 4=-1.62531e-004  A 6= 3.08250e-006  A 8= 1.27684e-008  A10=-6.68474e-009  
第6面
K = 0.00000e+000  A 4=-4.85469e-004  A 6= 4.06623e-006  A 8= 6.93954e-009  A10=-6.62533e-011  
第7面
K = 0.00000e+000  A 4=-5.84134e-004  A 6= 3.90038e-006  A 8=-3.98845e-009  A10=-1.94956e-010  
第9面
K = 3.48503e-001  A 4=-6.88072e-004  A 6=-1.95569e-005  A 8=-1.92771e-007  A10=-2.57793e-008  
第10面
K =-1.45874e+001  A 4= 1.19795e-004  A 6= 1.91301e-006  A 8=-4.87369e-007  A10= 2.61730e-008  
第14面
K =-7.12227e+000  A 4=-2.03603e-004  A 6= 2.92506e-006  A 8=-2.38863e-007  A10= 3.72441e-010  
第15面
K = 0.00000e+000  A 4=-6.28309e-004  A 6= 8.74652e-006  A 8=-2.70060e-007  
各種データ
ズーム比      6.86 
焦点距離       5.01    17.76    34.38      
Fナンバー      2.81     4.34     5.58       
画角          36.00    12.31     6.43     
像高           3.64     3.88     3.88 
レンズ全長    46.14    52.13    64.46 
BF             1.81     1.81     1.81     
d 3            0.65    13.79    21.37     4.43    17.78  
d 7           21.98     6.11     2.15    14.09     3.73  
d13            6.48    11.96    18.89     8.36    15.14  
d15            1.36     4.61     6.39     2.10     5.78  
d19            1.81     1.81     1.81     1.81     1.81  
入射瞳位置    11.44    31.59    49.86    
射出瞳位置   -14.69   -34.64  -116.59   
前側主点位置  14.93    40.69    74.25      
後側主点位置  -3.20   -15.96   -32.57    
ズームレンズ群データ
群  始面    焦点距離  レンズ構成長  前側主点位置  後側主点位置
1    1      56.11         3.00         0.36         -1.32
2    4      -9.94         4.67         0.17         -3.12
3    8      11.69         2.74        -3.32         -3.81
4   14      24.20         1.54        -0.36         -1.21
5   16       ∞           1.90         0.78         -0.78
単レンズデータ
レンズ  始面  焦点距離
1       1     31.61
2       2    -71.09
3       4     -7.03
4       6     26.36
5       9      8.37
6      11     31.55
7      12     -9.62
8      14     24.20
9      16      0.00
10      18      0.00
［数値実施例  ２］
単位 mm
面データ
面番号       r        d      nd         vd       有効径
1         58.242    2.50   1.83222    52.4       18.83
2        -41.081    0.50   1.67270    32.1       17.98
3*      -866.736  (可変)                         17.61
4*        26.377    0.75   2.08200    30.4       14.64
5*         5.998    2.25                         11.63
6*        11.782    1.66   2.35000    10.0       11.81
7*        14.958  (可変)                         11.58
8(絞り)    ∞      -0.60                          5.26
9*         5.980    1.74   1.58913    61.1        5.29
10*       -28.819    0.10                          4.99
11          5.055    0.99   1.49700    81.5        4.62
12          7.115    0.50   1.84666    23.8        4.15
13          3.680  (可変)                          3.75
14*        12.574    1.54   1.77250    49.6        8.91
15*        45.000  (可変)                          8.93
16        300.000    1.00   1.51633    64.2       10.00
17          ∞     (可変)                         10.00
18          ∞       0.60   1.51633    64.1       20.00
19          ∞       0.90                         20.00
20          ∞       0.40   1.51633    64.1       20.00
21          ∞     (可変)                         20.00
像面        ∞   
非球面データ
第3面
K = 4.94868e+003  A 4= 2.37644e-006  A 6= 2.76161e-008  A 8=-2.06051e-011  A10=-7.30980e-013  
第4面
K = 0.00000e+000  A 4=-7.30688e-005  A 6=-1.15540e-006  A 8= 1.37217e-009  A10=-8.67456e-011  
第5面
K =-3.04080e-001  A 4=-4.72862e-005  A 6=-2.37843e-007  A 8= 1.31084e-008  A10=-7.50739e-009  
第6面
K = 0.00000e+000  A 4=-4.59063e-004  A 6= 2.47755e-006  A 8=-3.44741e-009  A10= 8.23072e-011  
第7面
K = 0.00000e+000  A 4=-6.58458e-004  A 6= 4.96817e-006  A 8=-4.70006e-008  A10= 3.30930e-011  
第9面
K = 3.48503e-001  A 4=-8.34621e-004  A 6=-2.61722e-005  A 8= 2.42589e-008  A10=-3.92015e-007  
第10面
K =-1.45874e+001  A 4=-1.00841e-004  A 6=-4.84279e-005  A 8= 5.81857e-006  A10=-7.28844e-007  
第14面
K =-7.12227e+000  A 4=-1.61944e-004  A 6= 1.43784e-006  A 8=-1.33344e-007  A10=-2.03711e-009  
第15面
K = 0.00000e+000  A 4=-6.28309e-004  A 6= 8.74652e-006  A 8=-2.70060e-007  
各種データ
ズーム比      6.74 
焦点距離       5.14    18.11    34.65       
Fナンバー      2.91     4.30     5.31  
画角          35.31    12.08     6.38      
像高           3.64     3.88     3.88 
レンズ全長    47.30    53.29    65.62       
BF             0.51     0.51     0.51    
d 3            0.65    13.79    21.37     
d 7           21.98     6.11     2.15    
d13            7.45    11.58    17.87     
d15            1.36     5.95     8.38      
d17            0.50     0.50     0.50     
d21            0.51     0.51     0.51      
入射瞳位置    11.64    32.83    52.74      
射出瞳位置   -19.10   -40.78  -175.26     
前側主点位置  15.43    43.00    80.56     
後側主点位置  -4.63   -17.60   -34.14     
ズームレンズ群データ
群  始面    焦点距離  レンズ構成長  前側主点位置  後側主点位置
1    1      53.04         3.00         0.35         -1.32
2    4      -9.57         4.67         0.44         -2.73
3    8      12.00         2.74        -3.33         -3.83
4   14      22.13         1.54        -0.33         -1.18
5   16     581.02         1.00         0.00         -0.66
6   18       ∞           1.90         0.78         -0.78
単レンズデータ
レンズ  始面  焦点距離
1       1     29.28
2       2    -64.12
3       4     -7.32
4       6     31.60
5       9      8.57
6      11     30.28
7      12     -9.65
8      14     22.13
9      16    581.02
10      18      0.00
11      20      0.00
［数値実施例  ３］
単位 mm
面データ
面番号       r        d      nd         vd       有効径
1         55.543    2.50   1.83222    52.4       18.83
2        -37.606    0.50   1.67270    32.1       17.98
3*      -738.307  (可変)                         17.61
4*        30.465    0.75   2.15000    20.0       14.64
5*         6.728    2.35                         11.63
6*        11.720    1.46   2.40000     5.0       11.81
7*        13.340  (可変)                         11.58
8(絞り)    ∞      -0.60                          5.26
9*         6.038    1.74   1.58913    61.1        5.29
10*       -43.179    0.10                          4.99
11          4.580    0.99   1.49700    81.5        4.62
12          6.708    0.50   1.84666    23.8        4.15
13          3.534    7.45                          3.75
14*        13.116    1.54   1.77250    49.6        8.91
15*        45.000  (可変)                          8.93
16          ∞       0.60   1.51633    64.1       20.00
17          ∞       0.90                         20.00
18          ∞       0.40   1.51633    64.1       20.00
19          ∞     (可変)                         20.00
像面        ∞   
非球面データ
第3面
K = 4.94868e+003  A 4= 7.75674e-006  A 6= 8.29300e-009  A 8=-1.63785e-011  A10= 1.09732e-012  
第4面
K = 0.00000e+000  A 4= 1.39736e-005  A 6=-1.54803e-006  A 8= 6.49593e-009  A10=-3.04781e-010  
第5面
K =-3.04080e-001  A 4= 1.36113e-004  A 6=-7.80220e-007  A 8= 1.12400e-007  A10=-8.83546e-009  
第6面
K = 0.00000e+000  A 4=-4.76869e-004  A 6= 2.43425e-006  A 8= 3.11448e-008  A10= 4.90440e-010  
第7面
K = 0.00000e+000  A 4=-7.06860e-004  A 6= 6.77122e-006  A 8=-1.54479e-009  A10= 3.65944e-010  
第9面
K = 3.48503e-001  A 4=-6.29422e-004  A 6=-1.53705e-005  A 8= 1.00154e-006  A10=-4.31967e-007  
第10面
K =-1.45874e+001  A 4= 7.50631e-006  A 6=-7.30655e-006  A 8= 3.05429e-006  A10=-6.85963e-007  
第14面
K =-7.12227e+000  A 4=-2.42144e-004  A 6= 8.46058e-006  A 8=-4.41077e-007  A10= 1.04320e-009  
第15面
K = 0.00000e+000  A 4=-6.28309e-004  A 6= 8.74652e-006  A 8=-2.70060e-007  
各種データ
ズーム比      7.55 
焦点距離       5.27    20.74    39.80     
Fナンバー      3.07     4.61     5.48  
画角          34.64    10.58     5.56  
像高           3.64     3.88     3.88       
レンズ全長    47.46    51.81    60.05      
BF             1.15     5.43     4.06     
d 3            0.65    13.79    21.37     
d 7           21.98     4.91     0.95    
d15            2.48     6.48    12.48     
d19            1.15     5.43     4.06      
入射瞳位置    11.56    33.08    53.63    
射出瞳位置   -18.12   -22.12   -28.12   
前側主点位置  15.39    38.21    44.20    
後側主点位置  -4.12   -15.31   -35.74    
ズームレンズ群データ
群  始面    焦点距離  レンズ構成長  前側主点位置  後側主点位置
1    1      49.94         3.00         0.36         -1.31
2    4      -9.04         4.57         0.58         -2.54
3    8      11.65        11.73         1.99        -11.68
4   16       ∞           1.90         0.78         -0.78
単レンズデータ
レンズ  始面  焦点距離
1       1     27.28
2       2    -58.92
3       4     -7.64
4       6     45.14
5       9      9.11
6      11     25.16
7      12     -9.51
8      14     23.47
9      16      0.00
10      18      0.00
【００７１】
【表１】
2012159728.tif 000004
【符号の説明】
【００７２】
1   Ｌ１    第１レンズ群
2   Ｌ２    第２レンズ群
3   Ｌ３    第３レンズ群
4   Ｌ４    第４レンズ群
5   Ｌ５    第5レンズ群
6   ＳＰ    絞り
7   ＩＰ    像面
8   ｄ      ｄ線
9   ｇ      ｇ線
10  ΔＳ    サジタル像面
11  ΔＭ    メリディオナル像面
12  Ｆｎｏ  Ｆナンバー
13  ω      半画角
【図１】
2012159728.tif 000005
【図２】
2012159728.tif 000006
【図３】
2012159728.tif 000007
【図４】
2012159728.tif 000008
【図５】
2012159728.tif 000009
【図６】
2012159728.tif 000010
【図７】
2012159728.tif 000011
【図８】
2012159728.tif 000012
【図９】
2012159728.tif 000013